【手続補正書】
【提出日】平成19年6月14日(2007.6.14)
【手続補正１】
【補正対象書類名】明細書
【補正対象項目名】発明の名称
【補正方法】変更
【補正の内容】
【発明の名称】レンズ鏡筒、カメラシステム及びレンズ鏡筒の操作方法
【手続補正２】
【補正対象書類名】明細書
【補正対象項目名】特許請求の範囲
【補正方法】変更
【補正の内容】
【特許請求の範囲】
【請求項１】  撮影光学系と、
前記撮影光学系の光路付近に配置され、前記光路に向けて発光する発光部と、
を備えたレンズ鏡筒。
【請求項２】 撮影に用いられる撮影光学系と、
前記撮影光学系の光路付近に配置され、撮影動作に対応した指示により発光する発光部とを備えたレンズ鏡筒であって、
前記発光部は、前記撮影光学系の前記光路に向けて発光すること
を特徴とするレンズ鏡筒。
【請求項３】  請求項１に記載のレンズ鏡筒において、
所定の撮影動作を指示するための少なくとも１つの動作指示部をさらに備え、
前記発光部は、前記動作指示部により指示された前記撮影動作が開始又は完了したときに、発光を行うこと、
を特徴とするレンズ鏡筒。
【請求項４】  請求項３に記載のレンズ鏡筒において、
前記動作指示部は、撮影者により設定された設定値をメモリに記憶させるための記憶操作部、又は、前記撮影光学系の状態を、前記設定値に基づいて調整するための起動操作部であること、
を特徴とするレンズ鏡筒。
【請求項５】  請求項２から請求項４までのいずれか１項に記載のレンズ鏡筒において、
前記発光部は、前記撮影動作に応じて、発光の点滅パターン及び／又は色を変化させる発光素子であること、
を特徴とするレンズ鏡筒。
【請求項６】  請求項１から請求項５までのいずれか１項に記載のレンズ鏡筒において、
カメラボディとの間で情報を伝達する情報伝達手段を備え、
前記発光部は、伝達された情報に応じて、発光すること、
を特徴とするレンズ鏡筒。
【請求項７】  請求項６に記載のレンズ鏡筒において、
前記情報は、前記レンズ鏡筒と組合された前記カメラボディとの適合性が不適切であることを示すものであること、
を特徴とするレンズ鏡筒。
【請求項８】  請求項１から請求項７までのいずれか１項に記載のレンズ鏡筒と、
前記レンズ鏡筒と情報伝達可能なカメラボディであって、前記発光部の発光をファインダに伝えるための光学系を有する前記カメラボディと、
を備えたカメラシステムにおいて、
前記発光部の発光は、前記光学系を介して、前記ファインダで観察可能であること、
を特徴とするカメラシステム。
【請求項９】  請求項８に記載のカメラシステムにおいて、
前記カメラボディは、
被写体との距離を測定する測距部と、
被写体からの反射光量を測定する測光部と、
前記測距部及び前記測光部の少なくとも一方による測定を、前記発光部の発光中に禁止する測定制御部と、を備えたこと、
を特徴とするカメラシステム。
【請求項１０】 撮影光学系による像を形成し、
撮影動作に対応した指示により前記撮影光学系の光路に向けて発光部を発光させること
を特徴とするレンズ鏡筒の操作方法。
【請求項１１】 請求項１０に記載のレンズ鏡筒の操作方法において、
前記発光部は、前記指示に応じて、前記撮影動作が開始又は完了したときに発光することを特徴とするレンズ鏡筒の操作方法。
【手続補正３】
【補正対象書類名】明細書
【補正対象項目名】０００１
【補正方法】変更
【補正の内容】
【０００１】
【発明の属する技術分野】
本発明は、スチルカメラ、ビデオカメラ等のカメラを用いて撮影を行うときに、カメラの状態を撮影者に認識させるレンズ鏡筒、カメラシステム及びレンズ鏡筒の操作方法に関するものである。
【手続補正４】
【補正対象書類名】明細書
【補正対象項目名】０００７
【補正方法】変更
【補正の内容】
【０００７】
本発明の課題は、所定の撮影動作の状況を、撮影者に容易に認識させることができるレンズ鏡筒、カメラシステム及びレンズ鏡筒の操作方法を提供することである。
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、撮影光学系（Ｌ１，Ｌ２，Ｌ３）と、前記撮影光学系（Ｌ１，Ｌ２，Ｌ３）の光路（Ｌ）付近に配置され、前記光路（Ｌ）に向けて発光する発光部（６）と、を備えたレンズ鏡筒である。
【手続補正５】
【補正対象書類名】明細書
【補正対象項目名】０００８
【補正方法】変更
【補正の内容】
【０００８】
請求項２の発明は、撮影に用いられる撮影光学系（Ｌ１，Ｌ２，Ｌ３）と、前記撮影光学系の光路付近に配置され、撮影動作に対応した指示により発光する発光部（６）とを備えたレンズ鏡筒であって、前記発光部は、前記撮影光学系の前記光路（Ｌ）に向けて発光することを特徴とするレンズ鏡筒である。
請求項３の発明は、請求項１に記載のレンズ鏡筒において、所定の撮影動作（２１）を指示するための少なくとも１つの動作指示部（１３，１４）をさらに備え、前記発光部（６）は、前記動作指示部（１３，１４）により指示された前記撮影動作（２１）が開始又は完了したときに、発光を行うこと、を特徴とするレンズ鏡筒である。
【手続補正６】
【補正対象書類名】明細書
【補正対象項目名】０００９
【補正方法】変更
【補正の内容】
【０００９】
請求項４の発明は、請求項３に記載のレンズ鏡筒において、前記動作指示部（１３，１４）は、撮影者により設定された設定値をメモリに記憶させるための記憶操作部（１３）、又は、前記撮影光学系（Ｌ２）の状態を、前記設定値に基づいて調整するための起動操作部（１４）であること、を特徴とするレンズ鏡筒である。
請求項５の発明は、請求項２から請求項４までのいずれか１項に記載のレンズ鏡筒において、前記発光部（６）は、前記撮影動作（２１）に応じて、発光の点滅パターン（２３）及び／又は色（２２）を変化させる発光素子であること、を特徴とするレンズ鏡筒。
【手続補正７】
【補正対象書類名】明細書
【補正対象項目名】００１０
【補正方法】変更
【補正の内容】
【００１０】
請求項６の発明は、請求項１から請求項５までのいずれか１項に記載のレンズ鏡筒において、カメラボディ（２）との間で情報を伝達する情報伝達手段（１５）を備え、前記発光部（６）は、伝達された情報に応じて、発光すること、を特徴とするレンズ鏡筒である。
【手続補正８】
【補正対象書類名】明細書
【補正対象項目名】００１１
【補正方法】変更
【補正の内容】
【００１１】
請求項７の発明は、請求項６に記載のレンズ鏡筒において、前記情報は、前記レンズ鏡筒（１）と組合された前記カメラボディ（２）との適合性が不適切であることを示すものであること、を特徴とするレンズ鏡筒である。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
請求項８の発明は、請求項１から請求項７までのいずれか１項に記載のレンズ鏡筒（１）と、前記レンズ鏡筒（１）と情報伝達可能なカメラボディ（２）であって、前記発光部（６）の発光をファインダ（１０）に伝えるための光学系（８，９）を有する前記カメラボディ（２）と、を備えたカメラシステムにおいて、前記発光部（６）の発光は、前記光学系（８，９）を介して、前記ファインダ（１０）で観察可能であること、を特徴とするカメラシステムである。
【手続補正１１】
【補正対象書類名】明細書
【補正対象項目名】００１４
【補正方法】変更
【補正の内容】
【００１４】
請求項９の発明は、請求項８に記載のカメラシステムにおいて、前記カメラボディ（２）は、被写体との距離を測定する測距部（１２）と、被写体からの反射光量を測定する測光部（１１）と、前記測距部（１２）及び前記測光部（１１）の少なくとも一方による測定を、前記発光部（６）の発光中に禁止する測定制御部（７）と、を備えたこと、を特徴とするカメラシステムである。
請求項１０の発明は、撮影光学系（Ｌ１，Ｌ２，Ｌ３）による像を形成し、撮影動作（２１）に対応した指示により前記撮影光学系（Ｌ１，Ｌ２，Ｌ３）の光路（Ｌ）に向けて発光部（６）を発光させることを特徴とするレンズ鏡筒の操作方法である。
請求項１１の発明は、請求項１０に記載のレンズ鏡筒の操作方法において、前記発光部（６）は、前記指示に応じて、前記撮影動作（２１）が開始又は完了したときに発光することを特徴とするレンズ鏡筒の操作方法である。